(57)【要約】【課題】ペットに、シャッタ・チャンスを確実に演出させる。【解決手段】提供されるネットワークカメラ装置は、ペットに水を飲ませる水入れ容器２ａと、ペットにえさを食べさせる餌入れ容器３ａと、ペットを撮影してペット画像を取得するためのＩＰカメラ部４と、ＩＰカメラ部４を水入れ容器２ａ及び餌入れ容器３ａから、上方に所定の距離隔たる態様で、保持する保持部５とを備え、ＩＰカメラ部４は、ネットワークに接続して、クライアントへのペット画像の送信を含む、クライアントとの間でデータ通信を行うためのネットワーク部と、装置各部を制御する制御部とから概略構成されている。【選択図】図１
2013223033.tif 000002
【特許請求の範囲】
【請求項１】
ペットに水を飲ませる水入れ容器と、
ペットにえさを食べさせる餌入れ容器と、
前記ペットを撮影してペット画像を取得するためのカメラ部と、
ネットワークに接続して、前記クライアントへの前記ペット画像の送信を含む、前記クライアントとの間でデータ通信を行うためのネットワーク部と、
装置各部を制御する制御部と、
少なくとも前記カメラ部を前記水入れ容器又は／及び餌入れ容器から、上方に所定の距離隔たる態様で、保持する保持部とを備えてなることを特徴とするペット撮影用のネットワークカメラ装置。
【請求項２】
ペットに水を飲ませる水入れ容器と、
ペットにえさを食べさせる餌入れ容器と、
ペットが水を飲み得る状態、又は／及びえさを食べ得る状態に前記水入れ容器又は／及び餌入れ容器を配置するための台座と、
前記ペットを撮影してペット画像を取得するためのカメラ部と、
ネットワークに接続して、前記クライアントへの前記ペット画像の送信を含む、前記クライアントとの間でデータ通信を行うためのネットワーク部と、
装置各部を制御する制御部と、
少なくとも前記カメラ部を前記水入れ容器又は／及び餌入れ容器から所定の距離隔たる態様で、前記台座の上方にて保持する保持部とを備えてなることを特徴とするペット撮影用のネットワークカメラ装置。
【請求項３】
前記水入れ容器又は／及び前記餌入れ容器は、蓋を備えるとともに、前記クライアント側からの前記ネットワークを介する遠隔操作により、前記蓋が開く構成となっていて、ペットが水を飲み得る状態又は／及びえさを食べ得る状態になることを特徴とする請求項１又は２記載のペット撮影用のネットワークカメラ装置。
【請求項４】
前記水入れ容器に水を補充するための水補充部が付加されていることを特徴とする請求項１又は２記載のペット撮影用のネットワークカメラ装置。
【請求項５】
前記ネットワークを介して、前記クライアントからの音声による呼びかけを受けると共に、前記クライアントへの音声による呼びかけを行うための送受音手段が付加されていることを特徴とする請求項１又は２記載のペット撮影用のネットワークカメラ装置。
【請求項６】
移動手段を備え、前記クライアント側からの前記ネットワークを介する遠隔操作により、向き及び現在位置を変える機能を備えていることを特徴とする請求項１又は２記載のペット撮影用のネットワークカメラ装置。
【発明の詳細な説明】
【技術分野】
【０００１】
この発明は、ペット撮影用のネットワークカメラ装置に係り、詳しくは、ペットにシャッタ・チャンスを演出させる機能とペット画像を配信する機能とを備えるネットワークカメラ装置に関する。
【背景技術】
【０００２】
ある程度、意思が伝わるとしても、愛犬や愛猫などのペットにシャッタ・チャンスまで演出させることは容易ではない。
【０００３】
従来、ペットにシャッタ・チャンスを演出させる手段としては、特許文献１に記載のネットワークカメラ装置が知られている。このネットワークカメラ装置は、給餌ユニットと、給餌ユニットからえさが排出される下皿とを備え、えさを食べるために下皿に寄って来たペットを下皿の上方に設置されたカメラが撮影できる構成となっている。特許文献１の構成によれば、ペットは、えさを求めて、下皿、したがって、カメラ側を向くので、利用者が無理やり仕向けなくても、ペットは、自主的にシャッタ・チャンスを演出することができる。
【先行技術文献】
【特許文献】
【０００４】
【特許文献１】特開２００８−０４２５８３号公報
【発明の概要】
【発明が解決しようとする課題】
【０００５】
しかしながら、特許文献１の構成では、下皿のえさがなくなると、その都度、給餌ユニットから、えさを補充する構成であるため、ペットがえさに飽いてしまい、所定の演出効果を得ることができなくなるという欠点がある。
【０００６】
この発明は、上述の事情に鑑みてなされたもので、ペットに、一段と効果的にシャッタ・チャンスを演出させるように仕向けることができるペット撮影用のネットワークカメラ装置を提供することを目的としている。
【課題を解決するための手段】
【０００７】
上記課題を解決するために、この発明の第１の構成は、ペットに水を飲ませる水入れ容器と、ペットにえさを食べさせる餌入れ容器と、前記ペットを撮影してペット画像を取得するためのカメラ部と、ネットワークに接続して、前記クライアントへの前記ペット画像の送信を含む、前記クライアントとの間でデータ通信を行うためのネットワーク部と、装置各部を制御する制御部と、少なくとも前記カメラ部を前記水入れ容器又は／及び餌入れ容器から、上方に所定の距離隔たる態様で、保持する保持部とを備えてなることを特徴としている。
【０００８】
また、この発明の第２の構成は、ペットに水を飲ませる水入れ容器と、ペットにえさを食べさせる餌入れ容器と、ペットが水を飲み得る状態、又は／及びえさを食べ得る状態に前記水入れ容器又は／及び餌入れ容器を配置するための台座と、前記ペットを撮影してペット画像を取得するためのカメラ部と、ネットワークに接続して、前記クライアントへの前記ペット画像の送信を含む、前記クライアントとの間でデータ通信を行うためのネットワーク部と、装置各部を制御する制御部と、少なくとも前記カメラ部を前記水入れ容器又は／及び餌入れ容器から所定の距離隔たる態様で、前記台座の上方にて保持する保持部とを備えてなることを特徴としている。
【発明の効果】
【０００９】
この発明の構成によれば、ペットにえさを食べさせる餌入れ容器に加えて、ペットに水を飲ませる水入れ容器も備える構成としたので、さらに、食欲を増進させることができ、それゆえ、ペットに、一段と効果的に、かつ、確実にシャッタ・チャンスを演出させることができる。
【００１０】
とりわけ、水入れ容器又は／及び餌入れ容器が、蓋を備えるとともに、クライアント側からのネットワークを介する要求（遠隔操作）により、上記蓋が突然開いて、ペットにおやつ程度のえさが与えられる構成とすれば、ペットは、えさを求めて餌入れ容器に前向きに勢い良く近寄ってゆくが、これは、カメラ部側から見れば、ペット自らが、人為によらずに、前向きに勢い良く近寄ってくることであるので、利用者は、さらに効果的なシャッタ・チャンスをつかむことができる。
【図面の簡単な説明】
【００１１】
【図１】この発明の第１の実施形態であるペット撮影用のネットワークカメラ装置の概略構成を示す斜視図であり、同図（ａ）は、蓋部が閉状態で、えさを食べることができない状態を示す図、同図（ｂ）は、蓋部が開状態で、えさを食べることができる状態を示す図である。
【図２】同ネットワークカメラ装置の概略構成を示す平面図であり、同図（ａ）は、蓋部が閉状態で、えさを食べることができない状態を示す図、同図（ｂ）は、蓋部が開状態で、えさを食べることができる状態を示す図である。
【図３】同ネットワークカメラ装置の概略構成を示す正面図である。
【図４】同ネットワークカメラ装置の概略構成を示す側面図である。
【図５】同ネットワークカメラ装置を構成するＩＰカメラ部の電気的構成を示すブロックである。
【図６】同ネットワークカメラ装置を用いるカメラ映像配信システムを示す概念図である。
【図７】この発明の第２の実施形態であるペット撮影用のネットワークカメラ装置の概略構成を示す斜視図である。
【図８】同ネットワークカメラ装置の一部を分解して示す分解斜視図である。
【発明を実施するための形態】
【００１２】
ペットに水を飲ませる水入れ容器を設ける他、クライアント側から、インターネットなどのネットワークを介して、要求があると、餌入れ容器の蓋が開き、ペットにおやつ程度のえさ（以下餌おやつともいう）を与える構成とすることで、この発明を実現した。ペットは、餌おやつを発見すると、餌おやつを求めて給餌部の餌入れ容器に前向きに近寄ってゆく。これは、カメラ部側から見れば、ペットが、人為によらずに、自ら前向きに勢い良く近寄ってくることなので、シャッタ・チャンスの演出を達成できる。
【実施形態１】
【００１３】
以下、図面を参照して、この発明の実施形態について説明する。
図１は、この発明の第１の実施形態であるペット撮影用のネットワークカメラ装置の概略構成を示す斜視図であり、同図（ａ）は、蓋部が閉状態で、餌おやつを食べることができない状態を示す図、同図（ｂ）は、蓋部が開状態で、餌おやつを食べることができる状態を示す図、また、図２は、同ネットワークカメラ装置の平面図であり、同図（ａ）は、蓋部が閉状態で、餌おやつを食べることができない状態を示す図、また、同図（ｂ）は、蓋部が開状態で、餌おやつを食べることができる状態を示す図である。図３は、同ネットワークカメラ装置の正面図、また、図４は、同ネットワークカメラ装置の側面図である。
【００１４】
まず、装置の全体構成から説明する。
このネットワークカメラ装置１は、ペットにシャッタ・チャンスを演出させるシャッタ・チャンス演出機能とペット画像を配信する画像配信機能とを備えるカメラ装置に係り、図１乃至図３に示すように、室内で留守番中の愛犬や愛猫など（以下、総称して、ペットともいう）に水を与えるための給水部２と、餌おやつＤを与えるための給餌部３と、水や餌おやつＤを求めて給水部２や給餌部３に近寄ってくるペットを撮影して、取得したペット画像をネットワークで配信する機能を備えたＩＰカメラ部４と、ＩＰカメラ４などを保持するための保持部５とから概略構成されている。なお、このネットワークカメラ装置１には、必要な装置各部に電源を供給するための図示せぬ電源コードが設けられている。
【００１５】
次に、装置各部について説明する。
上記給水部２は、図１乃至図３に示すように、ペットが水を飲み得る状態に配置された水入れ容器２ａと、水入れ容器２ａの装置後部側の端部に装着されて、水入れ容器２ａに水を注入／補充するペットボトルなどの補充タンク２ｂとから概略構成されている。水入れ容器２ａは、装置前部では、ペットが水を飲みやすいように皿状の縁回りを有し、装置後部では、細溝状の形体を有している。この実施形態では、底に穴が開いていないペットボトルを逆さまにして装着することで、ペットボトルに持続的な補充機能を持たせるようにしている。なお、ペットボトルに代えて、瓶容器でも良く、専用のタンクを用いるようにしても良い。
【００１６】
上記給餌部３は、図１乃至図３に示すように、装置の前部に、ペットが餌おやつＤを食べ得る状態に配置されたボウル状の餌入れ容器３ａと、容器トレイ（台座）６の裏面側に設けられた回転駆動系に軸支され、餌入れ容器３ａを回動式に開閉する蓋部３ｂとから概略構成されている。上記蓋部３ｂは、予め、人為により、餌入れ容器３ａに被せて閉状態とされた後、クライアント側からのインターネットなどのネットワーク（以下、単に、インターネットともいう）を介する遠隔操作により、図示せぬ駆動モータに駆動されて、所定の角度、軸回転することで、閉状態から開状態に移行する構成となっている。蓋部３ｂが開状態になると、餌入れ容器３ａの中の餌おやつＤが露出して、ペットに餌おやつＤが与えられる。なお、蓋部３ｂの開閉機構は、回動式に限らず、必要に応じて、スライド式、両開き式、蛇腹式、バネ式、電磁開閉式、その他の方式でも良い。
この実施形態では、容器トレイ（台座）６の上面に、水入れ容器２ａと餌入れ容器３ａとが一体的に樹脂成形されて形成されている。
【００１７】
図５は、同ネットワークカメラ装置を構成するＩＰカメラ部の電気的構成を示すブロック、また、図６は、同ネットワークカメラ装置を用いるカメラ映像配信システムを示す概念図である。上記ＩＰカメラ部４は、図５に示すように、カメラ部４１と、ネットワーク部４２と、画像記憶部４３と、スピーカ部４４と、マイクロホン部４５と、アンテナ部４６と、装置各部を制御する制御部４７とから概略構成されている。
【００１８】
カメラ部４１は、制御部４７による制御の下で、上下左右に首振り動作をする首振り機能と、クライアント７との間で、双方向で音声による呼びかけを行う機能と、赤外線ＬＥＤ搭載で暗闇でも撮影可能な暗視機能と、所定の撮影領域にペットＰが入ると、その動きを検知する機能と、動き検知時に画像記憶部４４に自動的に録画する機能を有している。上記画像記憶部４４は、例えば、マイクロＳＤカードなどのメモリカードから構成されている。
上記構成のカメラ部４１は、水や餌おやつＤを求めて、給水部２や給餌部３に、前向きに近寄ってくるペットの姿態や動きを好適な位置から撮影するために、水飲み部２ａや餌入れ容器３ａから所定の距離（例えば、１５−３０ｃｍ）上方の部位にて、保持部５に保持される態様で、配置されている。
【００１９】
上記ネットワーク部４２は、無線ＬＡＮ８を介してルータ９に接続するための図示せぬインターフェイス部を備え、無線ＬＡＮ８及びルータ９を介して、インターネット１０に接続して、クライアント７へのペット画像の送信を含む、クライアント７との間でデータの送受信を行う。ネットワーク部４２は、クライアント７からの要求がなくても、制御部４７による制御の下で、動き検知時に画像記憶部４４に取り込んだ静止画を添付してクライアント７にメール送信するメール送信機能や、設置に必要なネットワーク設定を簡易化するＤＤＮ／ＵＰｎＰ機能も備えている。なお、インターフェイス部は、無線ＬＡＮ８に限らず、有線ＬＡＮを介してルータ９に接続することもできる。ここで、クライアント７とは、スマートフォン７ｂやパーソナルコンピュータ７ａなどの多機能利用者端末のことで、Ｗｅｂブラウザを使ってＩＰカメラ部４に接続すれば、カメラ部４１で撮影されたペット画像を見ることができ、留守番しているペットの様子や安否を確認できる。
【００２０】
上記制御部４７は、上述したような制御の他、クライアント７から、インターネット１０を介して、「餌おやつの供給」が要求されると、給餌部３の図示せぬ駆動モータの駆動を制御して蓋部３ｂを、所定の角度、軸回転させて、閉状態から開状態に移行させる制御を行う。蓋部３ｂが開状態になると、餌入れ容器３ａの中の餌おやつＤが露出して、ペットＰに餌おやつＤが与えられる。
【００２１】
また、上記保持部５は、ＩＰカメラ部４を保持装着する他、ペットボトルなどの補充タンク２ｂも保持装着する構成となっている。この実施形態では、保持部５は、子犬を模した形状に形成されているが、このような意匠的な形状は任意である。また、この実施形態では、上記保持部５が、上面に、水入れ容器２ａと餌入れ容器３ａとが一体成形された容器トレイ（台座）６に跨る態様で、容器トレイ６を着脱自在に嵌着又は係着する構成となっている。
【００２２】
次に、図５及び図６を参照して、この実施形態の動作について説明する。
カメラ部４１は、所定の撮影領域内でペットＰの動きを検知すると、撮影領域内のペットＰを画像記憶部４４に自動的に録画する。ネットワーク部４２は、制御部４７による制御の下で、動き検知時に画像記憶部４４に取り込んだ静止画を添付してクライアント７にメール送信する。これにより、利用者は、留守宅のペットの様子や安否を確認できる。また、利用者が望むなら、クライアント７側から、インターネット１０を介して、ネットワークカメラ装置１（ＩＰカメラ部４）に接続すれば、録画映像を再生でき、気に入った録画映像は、クライアント７にダウンロードして保存することができる。また、クライアント７から、インターネット１０を介して、ネットワークカメラ装置１に接続して、リアルタイムでペットＰをモニタリングすることができ、モニタリングしながら、首振り制御や音声による呼びかけを行うことができ、シャッタ・チャンスが訪れたら、クライアント７側で、静止画を取り込むことができる。利用者は、クライアント７に保存された静止画をTwitter／Facebook（ＳＮＳ）に投稿でき、クライアント７に保存された動画をYoutube（ＳＮＳ）に投稿できる。
【００２３】
利用者は、インターネット１０を介するモニタリング中、ペットＰがひもじそうな様子をしているとき、あるいは、餌おやつＤを与える時間が到来したとき、クライアント７からネットワークカメラ装置１にインターネット１０を介して「餌おやつの供給」を要求する。
【００２４】
ネットワークカメラ装置１（ＩＰカメラ部４）は、クライアント７から、インターネット１０を介して、「餌おやつの供給」が要求されると、給餌部３の図示せぬ駆動モータの駆動を制御して蓋部３ｂを、所定の角度、軸回転させ、閉状態から開状態に移行させる制御を行う。蓋部３ｂが開状態になると、餌入れ容器３ａの中の餌おやつＤが露出して、ペットＰに餌おやつＤが与えられる。ペットＰは、餌おやつＤを発見すると、餌おやつＤを求めて給餌部３の餌入れ容器３ａに前向きに近寄ってゆく。これは、カメラ部４１側から見れば、ペットＰが、人為によらずに、自ら前向きに勢い良く近寄ってくるので、シャッタ・チャンスが演出されているということができる。一方、ペットＰが、餌おやつＤを発見しないときは、クライアント７から、インターネット１０を介して、ネットワークカメラ装置１のスピーカ部４４から、ペットに呼びかけを行うことができる（ペットの名前を呼ぶ）。ペットＰは、この呼びかけによって、餌おやつＤを発見することができ、マイクロホン部４５から呼びかけに応えることもできる。
【実施形態２】
【００２５】
次に、この発明の第２の実施形態について説明する。
図７は、この発明の第２の実施形態であるペット撮影用のネットワークカメラ装置の概略構成を示す斜視図、また、図８は、同ネットワークカメラ装置の一部を分解して示す分解斜視図である。
この実施形態のネットワークカメラ装置１１が、上記した第１の実施形態のそれと、構成上、大きく異なるところは、第１の実施形態では、水入れ容器２ａと餌入れ容器３ａと容器トレイ（台座）６とが一体的に樹脂成形されて形成されているのに対して、この実施形態では、餌入れ容器１３ａを給餌用の容器トレイ（台座）１６ｂから着脱自在の構成とした点である（ただし、意匠外観上の相違点は論じない）。
なお、上記以外の点では、第１の実施形態で述べたと概略同様であるので、図７、図８において、図１の構成と同一又は対応する各部については、その説明を省略又は簡略化する。
【００２６】
このネットワークカメラ装置１１は、図７及び図８に示すように、ペットに水を与えるための給水部１２と、餌おやつＤを与えるための給餌部１３と、ペット撮影用のＩＰカメラ部４と、ＩＰカメラ４などを保持するための保持部１５とから概略構成されている。なお、このネットワークカメラ装置１１には、必要な装置各部に電源を供給するための図示せぬ電源コードが設けられている。
【００２７】
次に、装置各部について説明する。
上記給水部１２は、図７及び図８に示すように、給水用の容器トレイ（台座）１６ａの上面に一体成形された水入れ容器１２ａと、水入れ容器１２ａに水を注入補充するペットボトルなどの補充タンク２ｂとから概略構成されている。
上記給餌部１３は、図７及び図８に示すように、装置の前部に、ペットが餌おやつＤを食べ得る状態に配置された椀状の餌入れ容器１３ａと、給餌用の容器トレイ（台座）１６ｂの上面に一体成形され、餌入れ容器１３ａを収容載置するための凹部１３ｃと、給餌用の容器トレイ（台座）１６ｂの裏面側に設けられた回転駆動系に軸支され、餌入れ容器１３ａを回動式に開閉する蓋部１３ｂとから概略構成されている。
上記蓋部１３ｂは、予め、人為により、餌入れ容器１３ａに被せて閉状態とされた後、クライアント側からのインターネットを介する要求（遠隔操作）により、図示せぬ駆動モータに駆動されて、所定の角度、軸回転することで、閉状態から開状態に移行する構成となっている。蓋部１３ｂが開状態になると、餌入れ容器１３ａの中の餌おやつＤが露出して、ペットに餌おやつＤが与えられる。
上記構成によれば、第１の実施形態で述べたと略同様の効果を得ることができる。
【００２８】
以上、この発明の実施形態を、図面を参照して詳述してきたが、具体的な構成はこの実施形態に限られるものではなく、この発明の要旨を逸脱しない範囲の設計変更などがあってもこの発明に含まれる。
例えば、上述の実施形態では、ＩＰカメラ部が、カメラ部の他、ネットワーク部、画像記憶部、スピーカ部、マイクロホン部、及び装置各部を制御する制御部とを備えている場合について述べたが、これに限らず、上記構成部分の前部又は一部が、カメラ部から切り離されて設けられるようにしても良い。
また、上述の第２の実施形態では、餌入れ容器１３ａを、給餌用の容器トレイ（台座）１６ｂから着脱自在の構成としたが、水入れ容器を、給水用の容器トレイ（台座）から着脱自在の構成としてももちろん良い。
【００２９】
また、ネットワークカメラ装置の台座に、車輪やローラや無限軌道などの移動手段を設けるようにすれば、ペットが、万が一、装置を不適切な方向又は位置に動かしたとき、元の向き又は位置に戻すことができる。あるいは、利用者が、必要に応じて、任意の方向又は位置に移動させることができる。
【産業上の利用可能性】
【００３０】
このネットワークカメラ装置は、室内用ペットに限らず、屋外のペットや野鳥、野獣の監視や撮影にも適用できる。
【符号の説明】
【００３１】
Ｐ        ペット
Ｄ        餌おやつ（えさ）
１、１１        ネットワークカメラ装置
２、１２        給水部
２ａ、１２ａ        水入れ容器
２ｂ        補充タンク（水補充部）
３、１３        給餌部
３ａ        餌入れ容器
３ｂ        蓋部（蓋）
４        ＩＰカメラ部
４１        カメラ部
４２        ネットワーク部
４４        スピーカ部（送受音手段）
４５        マイクロホン部（送受音手段）
４７        制御部
５、１５        保持部
６、１６ａ、１６ｂ        容器トレイ（台座）
７        クライアント
１０        ネットワーク
【図１】
2013223033.tif 000003
【図２】
2013223033.tif 000004
【図３】
2013223033.tif 000005
【図４】
2013223033.tif 000006
【図５】
2013223033.tif 000007
【図６】
2013223033.tif 000008
【図７】
2013223033.tif 000009
【図８】
2013223033.tif 000010